(57)【要約】      （修正有）【課題】絡まった帯状部材を簡単にほどくことが可能なスティック装飾具を提供する。【解決手段】スティックと、スティックの端部に取り外し可能に固定される第１固定部材と、スティックに移動可能に取り付けられる第２固定部材と、一端が第１固定部材に固定され、他端が第２固定部材に固定された曲げ可能な複数の帯状部材とからなる。第１固定部材および第２固定部材は、それぞれ２つのベース部材を貼り合わせたものからなり、ベース部材の中心にはスティックが挿通される貫通孔が設けられ、帯状部材の一端を第１固定部材の２つのベース部材で、帯状部材の他端を第２固定部材の２つのベース部材で挟むことにより固定する。第１固定部材は、第１固定具と第２固定具で上下に挟まれてスティックに固定されており、第１固定部材の上方に位置する第１固定具をスティックから取り外すことにより、第１固定部材はスティックから取り外し可能となる。【選択図】図１
0003166973.tif 000002
【実用新案登録請求の範囲】
【請求項１】
スティックと、前記スティックの端部に取り外し可能に固定される第１固定部材と、前記スティックに移動可能に取り付けられる第２固定部材と、一端が第１固定部材に固定され、他端が第２固定部材に固定された曲げ可能な複数の帯状部材とからなり、前記スティックを回転させることで帯状部材が回転し様々な形状を表すスティック装飾具であって、
前記第１固定部材および前記第２固定部材は、それぞれ２つのベース部材を貼り合わせたものからなり、前記ベース部材の中心には前記スティックが挿通される貫通孔が設けられ、
前記帯状部材の一端を、前記第１固定部材の２つのベース部材で挟むことにより固定し、前記帯状部材の他端を、前記第２固定部材の２つのベース部材で挟むことにより固定することで、前記帯状部材の両端を第１固定部材と第２固定部材で固定しており、
前記第１固定部材は、前記スティックに取り外し可能に固定された第１固定具と第２固定具で上下に挟まれて前記スティックに固定されており、前記第１固定部材の上方に位置する前記第１固定具を前記スティックから取り外すことにより、前記第１固定部材は前記スティックから取り外し可能となることを特徴とするスティック装飾具。
【請求項２】
前記第１固定具および前記第２固定具は樹脂製の環状の形状を有しており、前記第１固定具および前記第２固定具が前記スティックが挿入されて取り外し可能に固定されていることを特徴とする請求項１に記載のスティック装飾具。
【請求項３】
前記ベース部材には、前記帯状部材を固定する位置がマーキングされていることを特徴とする請求項１または２に記載のスティック装飾具。
【請求項４】
前記ベース部材の表面には、前記帯状部材を固定する接着剤が塗布されている、あるいは粘着テープが貼り付けられていることを特徴とする請求項１から３のいずれか１項に記載のスティック装飾具。
【考案の詳細な説明】
【技術分野】
【０００１】
本考案は、遊園地、催し物会場等の人が集まる場所で、子供達の目を引く装飾具に関するものであり、より詳細には、手などでスティックを回転させて残像効果によって様々な像を表すことのできるスティック装飾具に関する。
【背景技術】
【０００２】
従来、手等の回転操作などにより、ファンタステックな画像、映像を出すような装飾具や玩具は種々提案されている。例えば、手で動かすことによって、文字、記号や図形が空中に現れるよう見える空中残像顕出式団扇（特許文献１参照）等があるが、このような玩具の１つとしてスティックを回転させて残像効果によって様々な像を表すことができるスティック玩具等がある（特許文献２参照）。
【先行技術文献】
【特許文献】
【０００３】
【特許文献１】実用第３０８１８１１号公報
【特許文献２】実用第３１１６４４０号公報
【考案の概要】
【考案が解決しようとする課題】
【０００４】
前記スティック玩具は、スティックと、前記スティックの先端部に固定される第１の結束部材と、中心部に孔を有し、前記孔にスティックが挿通された状態で、前記スティック軸に対して移動可能に取り付けられる第２の結束部材と、第１の結束部材と第２の結束部材との間に配せられる屈曲可能で腰のある複数の帯状部材であって、両端部が両結束部材に取り付けられている複数の帯状部材とからなっている。
【０００５】
スティック玩具は、使用中に前記帯状部材が絡まると言う問題がある。しかしながら、従来の構造では第１の結束部材がスティックの先端部に固定されているために、１つ１つ絡まった帯状部材をほどくしか方法が無く、小さな子供では絡まった帯状部材を簡単にほどくことができないという問題があった。
【０００６】
そこで本考案は、従来技術の問題点に鑑みて、絡まった帯状部材を簡単にほどくことが可能なスティック装飾具を提供することを目的とする。
【課題を解決するための手段】
【０００７】
本考案のスティック装飾具は、スティックと、前記スティックの端部に取り外し可能に固定される第１固定部材と、前記スティックに移動可能に取り付けられる第２固定部材と、一端が第１固定部材に固定され、他端が第２固定部材に固定された曲げ可能な複数の帯状部材とからなり、前記スティックを回転させることで帯状部材が回転し様々な形状を表すスティック装飾具であって、前記第１固定部材および前記第２固定部材は、それぞれ２つのベース部材を貼り合わせたものからなり、前記ベース部材の中心には前記スティックが挿通される貫通孔が設けられ、前記帯状部材の一端を、前記第１固定部材の２つのベース部材で挟むことにより固定し、前記帯状部材の他端を、前記第２固定部材の２つのベース部材で挟むことにより固定することで、前記帯状部材の両端を第１固定部材と第２固定部材で固定しており、前記第１固定部材は、前記スティックに取り外し可能に固定された第１固定具と第２固定具で上下に挟まれて前記スティックに固定されており、前記第１固定部材の上方に位置する前記第１固定具を前記スティックから取り外すことにより、前記第１固定部材は前記スティックから取り外し可能となることを特徴とする。
【０００８】
そして、前記第１固定具および前記第２固定具は樹脂製の環状の形状を有しており、前記第１固定具および前記第２固定具が前記スティックが挿入されて取り外し可能に固定されている。
【０００９】
さらに、前記ベース部材には、前記帯状部材を固定する位置がマーキングされており、前記ベース部材の表面には、前記帯状部材を固定する接着剤が塗布されている、あるいは粘着テープが貼り付けられている。
【考案の効果】
【００１０】
本考案のスティック装飾具は、スティックと、前記スティックの端部に取り外し可能に固定される第１固定部材と、前記スティックに移動可能に取り付けられる第２固定部材と、一端が第１固定部材に固定され、他端が第２固定部材に固定された曲げ可能な複数の帯状部材とからなり、前記スティックを回転させることで帯状部材が回転し様々な形状を表すスティック装飾具であって、前記第１固定部材および前記第２固定部材は、それぞれ２つのベース部材を貼り合わせたものからなり、前記ベース部材の中心には前記スティックが挿通される貫通孔が設けられ、前記帯状部材の一端を、前記第１固定部材の２つのベース部材で挟むことにより固定し、前記帯状部材の他端を、前記第２固定部材の２つのベース部材で挟むことにより固定することで、前記帯状部材の両端を第１固定部材と第２固定部材で固定しており、前記第１固定部材は、前記スティックに取り外し可能に固定された第１固定具と第２固定具で上下に挟まれて前記スティックに固定されており、前記第１固定部材の上方に位置する前記第１固定具を前記スティックから取り外すことにより、前記第１固定部材は前記スティックから取り外し可能となることにより、前記帯状部材が絡まった時に、前記第１固定部材をスティックから取り外すことで、簡単に前記帯状部材をほどくことが可能となる。
【００１１】
そして、前記第１固定具および前記第２固定具は樹脂製の環状の形状を有しており、前記第１固定具および前記第２固定具が前記スティックが挿入されて取り外し可能に固定されていることにより、前記第１固定部材は簡単に前記スティックから取り外すことができる。
【００１２】
さらに、前記ベース部材には、前記帯状部材を固定する位置がマーキングされており、前記ベース部材の表面には、前記帯状部材を固定する接着剤が塗布されている、あるいは粘着テープが貼り付けられていることにより、簡単にスティック装飾具を組み立てることができる。
【図面の簡単な説明】
【００１３】
【図１】本考案のスティック装飾具の斜視図である。
【図２】（ａ）は第１固定部材のベース部材の平面図であり、（ｂ）は第２固定部材のベース部材の平面図である。
【図３】帯状部材をベース部材に取り付けている状態を示す平面図である。
【図４】第１，２固定部材で帯状部材を固定した状態を示す斜視図である。
【図５】帯状部材を固定した第２固定部材の貫通孔にスティックを挿入しようとする状態を示す斜視図である。
【図６】スティックに第２固定具を取り付けた状態を示す斜視図である。
【図７】（ａ）はスティックに第２固定具および第１固定部材を取り付けた状態を示す斜視図であり、（ｂ）はスティックに第１，２固定具で第１固定部材を取り外し可能に固定した状態を示す斜視図である。
【図８】本考案のスティック装飾具により表出される暫時像の例を示す図である。
【図９】第１，２固定具の斜視図である。
【考案を実施するための形態】
【００１４】
以下に図を用いて本考案のスティック装飾具１について詳しく説明する。図１が本考案のスティック装飾具１の斜視図である。
【００１５】
本考案のスティック装飾具１は、スティック２と、前記スティック２の端部に取り外し可能に固定される第１固定部材３と、前記スティック２に移動可能に取り付けられる第２固定部材４と、一端が第１固定部材３に固定され、他端が第２固定部材４に固定された曲げ可能な複数の帯状部材５とからなり、前記スティック２を回転させたり、あるいは前記第２固定部材４を上下に移動させることで、帯状部材５が変形して様々な像を表すことができるものである。
【００１６】
前記第１固定部材３は、前記スティック２に取り外し可能に固定された第１固定具１１と第２固定具１２で上下に挟まれて前記スティック２に固定されており、前記第１固定部材３の上方に位置する前記第１固定具１１を前記スティック２から取り外すことにより、前記第１固定部材３は前記スティック３から取り外し可能となる。図９に示すように、前記第１固定具１１および前記第２固定具１２は樹脂製の環状の形状を有し、それぞれに設けられた挿入孔１３，１４の大きさは前記スティック２が挿入されて密着する大きさに形成されている。これにより、前記第１固定具１１および前記第２固定具１２の挿入孔１３，１４に前記スティック２が挿入されると、前記第１固定具１１および前記第２固定具１２は前記スティック２と密着して固定されるが、接着剤等を用いて固定していないので、前記第１固定具１１および前記第２固定具１２は手で前記スティック２から簡単に取り外すことができる。
【００１７】
前記第１固定部材３は、中心に貫通孔９が設けられた略円形のベース部材６を２枚貼り合わせたものであり、前記第２固定部材４は、中心に貫通孔１０が設けられた略円形のベース部材７を２枚貼り合わせたものである。前記貫通孔１０には前記スティック２が挿入される。この時、前記第２固定部材４が前記スティック２に沿って移動するために、前記貫通孔１０は前記スティック２が挿入された状態でも、前記第２固定部材４が移動可能な程度の隙間が生じる大きさとなっている。一方、前記貫通孔９にはスティック２が挿入された後、前記第１固定部材３は第１固定具１１と第２固定具１２によって前記スティック２に固定されるために、前記貫通孔９の大きさは前記スティック２が挿入可能な大きさであればよく、隙間が無い方がよい。
【００１８】
前記第１固定部材３および前記第２固定部材４は、２つのベース部材６，７を貼り合わせる際に、前記帯状部材５の端部を挟み込んで固定する。この時、前記帯状部材５を等間隔で配置するために、図２に示すように、前記ベース部材６，７には、前記帯状部材５を取り付けるためのマーキング１５が放射状に設けられている。また、前記帯状部材５を簡単に固定するために、前記ベース部材６，７の互いに貼り合わされる面にはあらかじめ接着剤が塗布され、あるいは粘着テープが貼り付けられることにより、粘着面となっており、前記スティック装飾具１を組み立てる前は、前記粘着面を保護するためのシートが貼られている。さらにスティック装飾具１のデザイン性を高めるために、図２に示すように、前記ベース部材６，７の平面形状を花びらの形にし、前記マーキング１５を花びらのデザインとすることもできる。
【００１９】
このような前記ベース部材６，７を用いた前記第１固定部材３および前記第２固定部材４は、本考案のスティック装飾具１を購入した人が自分で組み立てることも想定しているからであり、これにより、誰でも簡単にそして正確に前記帯状部材５を前記第１固定部材３および前記第２固定部材４によって端部を固定することが可能となる。また、前記ベース部材６，７に粘着面を設けないで、前記帯状部材５を固定する際に、接着剤あるいは両面テープで張り付けることも可能である。
【００２０】
前記帯状部材５の端部を前記第１固定部材３および前記第２固定部材４によって固定するためには、まず前記第１固定部材３または前記第２固定部材４のいずれかに、前記帯状部材５の一端を順番に固定する。例えば、初めに前記第１固定部材３に前記帯状部材５の一端を固定する場合、図３に示すように、１つのベース部材６に、接着面を利用して前記帯状部材５を順番に貼り付けていく。ここでは、１６本の帯状部材５を前記マーキング１５を利用して等間隔で貼り付ける。
【００２１】
１つのベース部材６に全ての帯状部材５を貼り付けたら、もう１つのベース部材６を上から貼り合わせて、２つのベース部材６で全ての帯状部材５を挟み込んで接着面によって固定する。これにより、帯状部材５の一端が前記第１固定部材３に固定される。次に、帯状部材５の他端を第２固定部材４によって固定する。１つのベース部材７に、接着面を利用して前記帯状部材５の他端を順番に貼り付ける。そして、もう１つのベース部材７を上から貼り合わせて、２つのベース部材７で全ての帯状部材５の他端を挟み込んで接着面によって固定する。これにより、帯状部材５の他端が前記第２固定部材４に固定され、図４に示すように、前記帯状部材５の両端が第１固定部材３と第２固定部材４に固定される。
【００２２】
ここで使用している前記帯状部材５は厚さ１０〜１２０μｍであり、材質としては、フィルム、あるいは紙、プラスチック等、適度な弾性力を有する材質を用いており、表面にホログラム加工、ミラー加工、蓄光加工、蛍光加工を施したり、様々な色を組み合わせたりすることで、像を表す際により綺麗な視覚効果を与えることができる。
【００２３】
また、前記スティック２は、手で回しやすくするために、直径３ｍｍ〜６ｍｍの円形の断面を有しており、プラスチック等の材質で形成する。また、前記スティック２を手で回すだけでなく、モーター等の別途の動力を用いて回したり上下動させるようにすることも可能である。
【００２４】
次に、帯状部材５が固定された第１固定部材３および第２固定部材４をスティック２に取り付ける方法について説明する。前記第２固定部材４の貫通孔１０に、図５に示すように、下側から前記スティック２を挿入する。その後、前記スティック２の先端を第２固定具１２に挿入し、図６に示すように、前記第２固定具１２を前記スティック２の先端付近に固定する。そして、図７（ａ）に示すように、前記第１固定部材３の貫通孔９にスティック２を挿入し、前記スティック２の先端が前記第１固定部材３から突出した状態とする。続いて図７（ｂ）に示すように、前記スティック２の先端を前記第１固定具１１に挿入して、前記第１固定具１１と前記第２固定具１２とで前記第１固定部材３を上下に挟み込んで前記スティック２に固定する。
【００２５】
このようにして、第１固定部材３および第２固定部材４をスティック２に取り付けた後、スティック３の下端に安全キャップ１６を取り付けると、前記第１固定部材３は前記第１固定具１１と前記第２固定具１２によって前記スティック２に固定され、前記第２固定部材４は移動可能な状態で前記スティック２に取り付けられ、前記スティック装飾具１の組み立てが完了する。
【００２６】
次に、本考案のスティック装飾具１の使用方法について説明する。スティック２を手で回転させると、回転速度に応じて、帯１５が変形して、図８（ａ）に示すような、球体の像が表れる。図８（ａ）では楕円形の像が表れているが、回転速度をさらに上げると第２固定部材４がスティック２に沿って上方へと移動し、像は薄い円盤状に変化する。また、回転速度を下げると、今度は第２固定部材４が下方へと移動し、縦長の楕円へと変化する。
【００２７】
さらに、スティック２の回転を素早く、繰り返して逆回転させると、第１固定部材３はスティック２に固定されているのでスティック２と同じ方向に回転するが、第２固定部材４は固定されていないので、第１固定部材３と逆回転をしている状態が生じて、前記帯状部材５が途中で捻れて、図８（ｂ）に示すような、ひょうたんあるいはだるまのような２つの楕円あるいは円を組み合わせた像が表れる。
【００２８】
その他にも、スティック２を上下動さる、あるいは、回転させながら上下動を行うといった、様々な方法を用いることで、くらげや、ワイングラス、ぼんぼり、チューリップといった様々な像を生じさせることが可能であり、工夫次第では、さらなる表現が可能である。また、オルゴールに取り付けてオルゴールのメロディーに合わせてゆっくりと回転する構造とすることも可能である。
【００２９】
本考案のスティック装飾具１は、様々な用途で用いることができる。装飾具としてディスプレイ等に様々形状に変化させた状態で用いることもできるし、玩具として、像が変化するのを楽しむこともできる。
【００３０】
このようにして、本考案のスティック装飾具１は様々な方法で使用することができるが、使用している間に、前記帯状部材５が絡まることがある。しかしながら、本考案のスティック装飾具１は、前記帯状部材５が絡まった場合、前記第１固定具１１を前記スティック２から取り外すことができるので、前記第１固定具１１を取り外した後、さらに前記第１固定部材３を前記スティック２から取り外すと、前記第１固定部材３を自由に動かすことができるので簡単に前記帯状部材５をほどくことができる。また、前記第１固定部材３を取り外しただけでは、前記帯状部材５をほどくのが難しい場合には、さらに前記第２固定具１２を前記スティック２から取り外すと、前記第２固定部材４も取り外し可能となるので、前記第２固定部材４も前記スティック２から取り外すことにより、前記帯状部材５の絡まりをほどくことも可能である。
【００３１】
このように、本考案のスティック装飾具１は、前記第１固定具１１および前記第２固定具１２を用いて前記第１固定部材３を前記スティック２から取り外し可能に固定することにより、スティック装飾具１の組み立てと逆の手順で簡単に分解することができるので、誰でも簡単に前記帯状部材５の絡まりを容易にほどくことが可能となる。
【符号の説明】
【００３２】
１        スティック装飾具
２        スティック
３        第１固定部材
４        第２固定部材
５        帯状部材
６，７    ベース部材
９，１０  貫通孔
１１      第１固定具
１２      第２固定具
１３      挿入孔
１４      挿入孔
１５      マーキング
１６      安全キャップ
【図１】
0003166973.tif 000003
【図２】
0003166973.tif 000004
【図３】
0003166973.tif 000005
【図４】
0003166973.tif 000006
【図５】
0003166973.tif 000007
【図６】
0003166973.tif 000008
【図７】
0003166973.tif 000009
【図８】
0003166973.tif 000010
【図９】
0003166973.tif 000011